(57)【要約】【課題】撮影画像のノイズを低減できる撮影装置を提供する。【解決手段】被写体輝度に基づいて絞りとシャッタ速度の設定を行い、この設定をＡＥ１とする。ユーザがＭＡモードを選択している場合、ＡＥ１よりも１ＥＶだけアンダーになるように、絞りとシャッタ速度の設定を行い、ストロボ発光フラグをＯＮにする。高輝度部のＲ／Ｇ／Ｂ分布の評価を行い、高輝度部の色の偏りの程度を調べる。高輝度部での色の偏りが大きくストロボ発光による色補正の必要があり、ＭＡモードを選択している場合、１ＥＶ分の光量不足を補い、かつ高輝度部での色の偏りが適正に補正されるように、Ｒ，Ｇ，Ｂの各ＬＥＤに供給する各電圧に高低差をつけてＲ，Ｇ，Ｂの各ＬＥＤの発光量の比を設定する。ＭＡモードを選択している場合、高輝度部の色の補色になるように、Ｒ，Ｇ，Ｂの各ＬＥＤの各発光量比を設定する。【選択図】        図６
2006162988.tif 000002
【特許請求の範囲】
【請求項１】
被写体の輝度を測光する測光手段と、ストロボ光を発光して被写体を照明するストロボ装置とを備えた撮影装置において、
前記測光手段から出力される測光結果から適正露光となる第１ＥＶ値よりも所定のＥＶ値分だけアンダー露光となるように第２ＥＶ値を設定する露光値設定手段と、
前記第２ＥＶ値に基づいて露光を行った場合に不足する光量を補い、適正露光となるようにストロボ装置を制御してストロボ光を発光するストロボ制御部と、
を設けたことを特徴とする撮影装置。
【請求項２】
前記ストロボ装置のストロボ光源として、発光色がそれぞれＲ，Ｇ，Ｂの各発光ダイオードを用いるとともに、被写界の色の偏りを測定する測定手段を設け、この測定手段の測定結果に基づいて、前記被写界の色の偏りを補正するように、前記Ｒ，Ｇ，Ｂの各発光ダイオードの発光量の比を設定して発光することを特徴とする請求項１記載の撮影装置。
【発明の詳細な説明】
【技術分野】
【０００１】
本発明は、ストロボ装置のストロボ光源として発光ダイオードを用いたデジタルカメラやカメラ付き携帯電話等の撮影装置に関するものである。
【背景技術】
【０００２】
撮影装置としては、フイルムカメラ（銀塩フイルムを用いる旧来のカメラ）やデジタルカメラやカメラ付き携帯電話等が周知である。これらの撮影装置の多くは、輝度が低い撮影条件下でも被写体を照明して綺麗に撮影できるようにストロボ装置を備えている。
【０００３】
従来のストロボ装置はストロボ光源としてキセノン（Ｘｅ）管を用いてきたが、最近では、ノイズが少なく小型化が容易、かつローコストであるところから、発光ダイオード（以下ＬＥＤという）を用いたものが提案されている（例えば特許文献１〜４）。
【０００４】
例えば、複数個のＬＥＤを備え、これらを所定の間隔で循環的に点灯したり、Ｒ，Ｇ，Ｂの各ＬＥＤの個々の点灯時間を加減して色温度調整を行うデジタルカメラが知られている（特許文献１）。また、ストロボ発光部として白色ＬＥＤを用いたカメラ付き携帯電話が知られている（特許文献２）。また、撮影レンズの周囲のボディ前面に複数個のＬＥＤを配設した薄型のデジタルカメラとカメラ付き携帯電話が知られている（特許文献３）。また、ストロボ光源としてＲ，Ｇ，Ｂの各ＬＥＤを用い、被写界の色温度に応じてＲ，Ｇ，Ｂの各ＬＥＤの発光量の比を制御するストロボ装置及びこれを用いたデジタルカメラが知られている（特許文献４）。
【特許文献１】特開２００１−２１５５７９号公報
【特許文献２】特開２００３−１５８６７５号公報
【特許文献３】特開２００３−１０１８３６号公報
【特許文献４】特開２００２−１１６４８１号公報
【発明の開示】
【発明が解決しようとする課題】
【０００５】
上記特許文献１〜４記載のような撮影装置では、例えばストロボ光が不要な程明るい室内ではストロボ光を発光することなく撮影を行う。ところが、非常に明るい室内では、例えば数多くの蛍光灯が設置されているため、緑色の強い画像になる。もちろん、撮影装置のホワイトバランス調整機能によって目立たないように調整されるが、ホワイトバランス調整のために大きなゲイン値を用いるため、撮影画像のノイズが大きくなって、画質が低下するという不都合が生じる。
【０００６】
本発明は、撮影画像のノイズを低減できる撮影装置を提供することを目的とする。
【課題を解決するための手段】
【０００７】
本発明の撮影装置は、被写体の輝度を測光する測光手段と、ストロボ光を発光して被写体を照明するストロボ装置とを備えた撮影装置において、前記測光手段から出力される測光結果から適正露光となる第１ＥＶ値よりも所定のＥＶ値分だけアンダー露光となるように第２ＥＶ値を設定する露光値設定手段と、前記第２ＥＶ値に基づいて露光を行った場合に不足する光量を補い、適正露光となるようにストロボ装置を制御してストロボ光を発光するストロボ制御部とを設けたことを特徴とする。また、前記ストロボ装置のストロボ光源として、発光色がそれぞれＲ，Ｇ，Ｂの各発光ダイオードを用いるとともに、被写界の色の偏りを測定する測定手段を設け、この測定手段の測定結果に基づいて、前記被写界の色の偏りを補正するように、前記Ｒ，Ｇ，Ｂの各発光ダイオードの発光量の比を設定して発光することを特徴とする。
【発明の効果】
【０００８】
本発明の撮影装置によれば、適正露光となる第１ＥＶ値よりも所定のＥＶ値分だけアンダー露光となるように第２ＥＶ値を設定し、この光量不足を補うようにストロボ光を発光するようにしたので、ストロボ光によって被写界の色の偏りの程度を軽減できる。この結果、ホワイトバランス調整におけるゲイン値を小さくでき、撮影画像のノイズを低減できる。更に、ストロボ光源としてＲ，Ｇ，Ｂの各発光ダイオードを用い、被写界の色の偏りを補正するように各発光ダイオードの発光量の比を設定して発光するから、被写界の色の偏りを非常に良好に補正できる。この結果、ホワイトバランス調整におけるゲイン値をきわめて小さくできるから、撮影画像のノイズを大幅に低減できる。
【発明を実施するための最良の形態】
【０００９】
本発明の実施形態であるデジタルカメラの外観を示す図１において、デジタルカメラ１０のカメラボディ１１の前部には、単焦点タイプの撮影レンズ１２とファインダ対物窓１３が設けられている。また、上部には、シャッタボタン１４が設けられている。
【００１０】
前記撮影レンズ１２のレンズ鏡筒１５は、電源がＯＦＦの時には、二点鎖線で示す沈胴位置にあるが、電源をＯＮにすると、実線で示すように突出して撮影準備状態になる。前期沈胴位置では、レンズバリア１６が閉じており、撮影準備位置ではレンズバリア１６が開き、撮影レンズ１２が露呈する。
【００１１】
前記レンズ鏡筒１５は、樹脂製であり、この対物側の端部には、リング状の化粧板１７がレンズ鏡筒１５の前部全体を覆うように取り付けられている。この化粧板１７は、放熱効果が高い金属，例えばアルミニウムから形成されており、これを基板として、ストロボ光源として使用される高輝度タイプの４個のＬＥＤ１８〜２１が取り付けられている。このＬＥＤ１８〜２１の発光色は、それぞれ赤色（Ｒ），緑色（Ｇ），青色（Ｂ），白色（Ｗ）である。
【００１２】
前記化粧板１７の前部には、ＬＥＤ１８〜２１を覆うように、細長いほぼ楕円形で中央部が丸く突出した透明樹脂製の光拡散カバー８が取り付けられている。なお、ＬＥＤ１８〜２１をカメラボディ１１内部の制御部と接続するための接続コードは、レンズ鏡筒１５の内部を通している。また、接続コードの端部には、コネクタを装着しておき、このコネクタを介して制御部と接続するのが好ましい。また、前記接続コードは、フレキシブル基板でもよい。
【００１３】
ＬＥＤ１８〜２１には、十分な発光量を得るために、高圧電流が印加され、その際に、ＬＥＤ１８〜２１は自己発熱のため高温になるが、前記化粧板１７が放熱板（ヒートシンク）の役割を果たすため、ＬＥＤ１８〜２１の温度を効率よく下げることができる。これにより、熱に弱いＬＥＤ１８〜２１が破壊することが防止される。また、撮影レンズ１２の化粧板１７をＬＥＤ１８〜２１の放熱板に兼用したから、ＬＥＤ１８〜２１の放熱板を別部品として設ける必要がないので、部品費用の低減に寄与できる。
【００１４】
また、ＬＥＤ１８〜２１がレンズ鏡筒１５の前部に設けられているから、レンズ鏡筒１５によるストロボ光のケラレがなく、ストロボ光を無駄なく有効に利用できるとともに、ストロボ光の光軸と撮影光軸との角度差がほとんどないことから、無影に近い撮影ができる。
【００１５】
カメラボディ１１の背面には、図２に示すように、ファインダ接眼部２２，望遠（Ｔ）側ズームキー２３，広角（Ｗ）側ズームキー２４，液晶ディスプレイ２５，表示／ＢＡＣＫボタン２６，十字キー２７及びメニュー／ＯＫボタン２８が設けられている。なお、ズームキー２３，２４は、画像データを電子的に拡大／縮小する電子ズームを行う。また、メニュー／ＯＫボタン２８は、十字キー２７の中央部に設けられている。
【００１６】
メニュー／ＯＫボタン２８を押圧してメインメニュー（図示せず）を表示してから十字キー２７の操作によりホワイトバランス調整（ＷＢ）を選択すると、図のように、複数個のアイコンと文字が表示される。デフォルトでは、自動（ＡＵＴＯ）に設定されているが、ユーザは十字キー２７とメニュー／ＯＫボタン２８を操作して、マニュアル（Ｍ），光源を模式的に表した光源アイコン２９〜３２を選択できる。
【００１７】
電球型の光源アイコン２９を選択すると、タングステンライトの影響による赤味を抑えるように、また、蛍光灯型の光源アイコン３０を選択すると、蛍光灯の影響による緑色を抑えるように、また、雲型の光源アイコン３１を選択すると、曇天下でのアンバー（茶褐色）を抑えるように、また、太陽型の光源アイコン３２を選択すると、晴天下での青味を抑えるように、それぞれ設定された光量比でＬＥＤ１８〜２０が自動発光する。
【００１８】
また、Ｍを選択すると、図３に示すように、サブメニューが表示される。Ｒ，Ｇ，Ｂ，Ｗの各文字の前には、ラジオボタンがそれぞれ配置されており、これをＯＮにすることにより、Ｒ，Ｇ，Ｂ，ＷのＬＥＤ１８〜２１を任意に発光させるように設定できる。この場合、ＯＮにするのは、ＬＥＤ１８〜２１のうち１個でもよいし、また複数個でもよい。すなわち、マニュアル（Ｍ）では、発光するＬＥＤを自由に選ぶことができ、ユーザ独自の雰囲気を演出することができる。
【００１９】
また、前記Ｒ，Ｇ，Ｂ，Ｗとは別に、ＭＡモードが用意されており、これを選択すると、通常の判断ではストロボ照明が不要とされる明るさのシーンにおいて、適正露出よりも例えば１ＥＶ分アンダーになるように、絞りとシャッタ速度が設定される。そして、不足する露光量を補い、かつ被写界の色温度が補正されるように、ＬＥＤ１８〜２１の発光量及びその比が自動設定される。
【００２０】
デジタルカメラ１０の電気的構成を示す図４において、撮影レンズ１２及び絞り３４を介して固体撮像素子（ＣＣＤ）３６の受光面に結像された被写体像は、各センサで光の入射光量に応じた量の信号電荷に変換される。この信号電荷は、ＣＣＤ駆動回路３８から加えられるリードゲートパルスによってシフトレジスタに読み出され、レジスタ転送パルスによって信号電荷に応じた電圧信号として順次読み出される。なお、このＣＣＤ３６は、蓄積した信号電荷をシャッタゲートパルスによって掃き出すことができ、これにより電荷の蓄積時間（シャッタスピード）を制御する、いわゆる電子シャッタ機能を有している。
【００２１】
ＣＣＤ３６から順次読み出された電圧信号は、アナログ処理部４０に送られる。アナログ処理部４０は、前記電圧信号に対して相関二重サンプリング（ＣＤＳ）処理及び色分離処理を施した後、Ｒ，Ｇ，Ｂに色分離された各色信号のゲインを調整してホワイトバランス処理が行う。
【００２２】
アナログ処理部４０から出力された信号は、Ａ／Ｄ変換器４２によりデジタル信号に変換された後、バッファメモリ４６に格納される。タイミングジェネレータ（ＴＧ）４４は、サブＣＰＵ６８の指令に従ってＣＣＤ駆動部３８、アナログ処理部４０及びＡ／Ｄ変換器４２に対してタイミング信号を与えており、このタイミング信号によって各回路の同期がとられている。
【００２３】
バッファメモリ４６に格納されたデータは、バス４８を介してＹＣ信号処理部５０に送られる。ＹＣ信号処理部５０に入力された画像データは、輝度信号（Ｙ信号）及び色差信号（Ｃr,Ｃb 信号）に変換されるとともに、ガンマ補正等の所定の処理が施された後、バッファメモリ４６に格納される。このメモリ４６内のＹＣ信号を読み出し、ＹＣ信号をＲＧＢ信号に変換する表示回路５２及びドライバ５４を介して液晶モニタ２５に出力することによりスルー画像や撮影された静止画等を液晶モニタ２５に表示させる。
【００２４】
また、撮影後のＹＣ信号は、圧縮／伸長回路５８によって所定のフォーマットに圧縮されたのち、インターフェイス回路（Ｉ／Ｆ）６０を介してメモリカード６２に記録される。更に、再生モード時にはメモリカード６２に記録されている画像データが圧縮／伸長回路５８によって伸長処理された後、液晶モニタ２５に出力され、液晶モニタ２５に再生画像が表示される。
【００２５】
メインＣＰＵ６４は、ＥＥＰＲＯＭ６５に記憶されている各種のプログラムシーケンスに従い、前記シャッタボタン１４の他、ズームキー２３，２４，十字キー２７等の操作部６６からの入力に基づいて各回路を統括制御するとともに、サブＣＰＵ６８とＣＰＵ間通信を行う。サブＣＰＵ６８は、オートフォーカス（ＡＦ）、自動露光（ＡＥ）等の制御を行うとともに、必要に応じてＬＥＤ制御部７０にストロボ発光のコマンドを送る。
【００２６】
前記オートフォーカス（ＡＦ）制御は、Ｇ信号の高周波成分が最大になるように撮影レンズ１２を移動させるコントラストＡＦであり、シャッタボタン１４の半押し時にＧ信号の高周波成分が最大になるようにフォーカス駆動部７２を介して撮影レンズ１２を合焦位置に移動させる。
【００２７】
また、自動露光（ＡＥ）制御は、バス４８を介してバッファメモリ４６からＲ，Ｇ，Ｂ信号を取り込み、これらの信号を積算した積算値に基づいて被写体輝度（撮影ＥＶ値）を求め、この撮影ＥＶ値に基づいて撮影時の絞り値とシャッタスピードを決定する。そして、シャッタボタン１４の全押し時に前記決定した絞り値になるように絞り駆動部７４を介して絞り３４を駆動し、また、決定したシャッタスピードとなるようにＣＣＤ３６の電子シャッタによって電荷の蓄積時間を制御して１コマ分の画像データを取り込み、所要の信号処理をした後、メモリカード６２に記録する。
【００２８】
前記ＬＥＤ制御部７０は、電源電池の電圧を昇圧し、得られた高圧電流を必要に応じてＬＥＤ１８〜２１に供給する。デフォルトのオートホワイトバランス（ＡＷＢ）ストロボモードでは、ＬＥＤ１８〜２１のうちいずれのＬＥＤを発光させるかは、撮影環境下（被写界）の色温度の測定結果によって変わる。被写界の輝度がきわめて低い（非常に暗い）場合や、被写界の輝度が低い（ストロボ光による補助照明が必要）が被写界のホワイトバランスが良好の場合には、Ｗ−ＬＥＤ２１を発光させる。
【００２９】
また、室内撮影でタングステンライトの影響が強い（画像が赤っぽくなる）場合や蛍光灯の影響が強い（画像が緑っぽくなる）場合には、各色調の補色になるようにＲ−ＬＥＤ１８，Ｇ−ＬＥＤ１９，Ｂ−ＬＥＤ２０の発光量比を変化させて、発光させる。これにより、アナログ処理部４０のホワイトバランス処理におけるＲ，Ｇ，Ｂ信号の大幅なゲイン調整が不要となるから、画像のノイズを低減できる。
【００３０】
次に、上記実施形態の作用について図５〜図７に示すフローチャートに従って説明する。撮影を開始する前に、ユーザは撮影環境によってホワイトバランス調整の仕方を選択する。一般的な撮影ではデフォルトのオートホワイトバランス調整のままでよいが、例えば数多くの蛍光灯が設置された明るい室内で撮影を行う場合には、オートのままではストロボ発光は不要と判断され、室内光だけで撮影することになる。この場合、アナログ処理部４０のホワイトバランス処理では、蛍光灯の影響による強い緑色を抑えるために大きなゲイン値が使用される。このため、画像のノイズが増幅され、画質が著しく低下する。そこで、数多くの蛍光灯が設置された明るい室内で撮影を行うようなシーンでは、マニュアルでＭＡモードを選択する（図３参照）。
【００３１】
図５に示すように、シャッタボタン１４を半押しすると（ｓｔ１）、ＡＥシーケンス（ｓｔ２），ＬＥＤ１８〜２１の発光制御の設定を行うことにより撮影時に被写界のホワイトバランス調整の設定を行うＷＢストロボ設定シーケンス（ｓｔ３），ＡＦシーケンス（ｓｔ４）が順次に実行される。
【００３２】
ＡＥシーケンスでは、図６に示すように、サブＣＰＵ６８がバッファメモリ４６から１画面分のＧ信号を取得し（ｓｔ９）、画像の明るさを評価する（ｓｔ１０）。サブＣＰＵ６８は、画像の明るさ（被写体輝度）に基づいて、ストロボ照明が必要か否かを判断し（ｓｔ１１）、必要な場合にはストロボ発光フラグをＯＮにし（ｓｔ１２）、不要な場合にはストロボ発光フラグをＯＦＦにする（ｓｔ１３）。また、被写体輝度に基づいて、絞りとシャッタ速度の設定を行い、この設定をＡＥ１とする（ｓｔ１４）。なお、ユーザがＭＡモードを選択するようなシーンでは、ＡＥ１はストロボ発光が不要な程度に明るい被写体輝度についての絞りとシャッタ速度の設定となる。
【００３３】
次に、メインＣＰＵ６４は、ＭＡモードに設定されているか否かをチェックする（ｓｔ１５）。ＭＡモードに設定されている場合には、前記ＡＥ１よりも１ＥＶだけアンダーになるように、絞りとシャッタ速度の設定を行う（ｓｔ１６）。また、ユーザがＭＡモードを選択するような撮影条件下（例えば明るい室内）では、ストロボ発光は不要とされ、ストロボ発光フラグがＯＦＦにされているはずであるから（ｓｔ１３）、ＯＦＦにされているストロボ発光フラグをＯＮに変更する（ｓｔ１７）。また、ＭＡモードに設定されていない場合には、絞りとシャッタ速度の設定をＡＥ１のままとする。
【００３４】
ＷＢストロボ設定シーケンスでは、サブＣＰＵ６８がバッファメモリ４６から１画面分のＲ，Ｇ，Ｂ信号を読み込み、このＧ信号から所定の閾値よりも輝度が高い高輝度部を取得する（ｓｔ１８）。ここで、ストロボ発光が必要な場合（ストロボ発光フラグがＯＮの場合）（ｓｔ１９）、高輝度部のＲ／Ｇ／Ｂ分布の評価を行い、高輝度部の色の偏りの程度を調べる（ｓｔ２０）。すなわち、アナログ処理部４０のホワイトバランス処理で大幅なゲイン変更を伴うことなくホワイトバランス処理できる程度に高輝度部の色の偏りが少ない場合には、ＬＥＤ１８〜２０の発光による被写界の色補正は不要であるから（ｓｔ２１）、１ＥＶ分の光量不足だけを補うようにＷ−ＬＥＤ２１のみを発光する設定を行う（ｓｔ２２）。
【００３５】
高輝度部での色の偏りが大きくストロボ発光による色補正の必要があり（ｓｔ２１）、ユーザがＭＡモードを選択している場合には（ｓｔ２３）、ＭＡモードに応じたＬＥＤ発光の設定を行う（ｓｔ２４）。すなわち、１ＥＶ分の光量不足を補い、かつ高輝度部での色の偏りが適正に補正されるように、ＬＥＤ１８〜２０に供給する各電圧に高低差をつけてＬＥＤ１８〜２１の発光量の比が設定される。また、ＭＡモードが選択されていない場合には、高輝度部の色の補色になるように、ＬＥＤ１８〜２０の各発光量比を設定する（ｓｔ２５）。
【００３６】
この後、シャッタボタン１４を全押しすると（ｓｔ６）、ＣＣＤ３６の電子シャッタが駆動される撮影シーケンス（ｓｔ７）が実行される。この撮影シーケンスでは、電子シャッタの駆動と同時に、ストロボ発光が設定されている場合に、サブＣＰＵ６８からＬＥＤ制御部７０にコマンドが送られ、ＬＥＤ１８〜２１のうち発光の設定されたＬＥＤに高圧電流が印加され、発光される。
【００３７】
これと同時に、ＣＣＤ３６の電子シャッタが駆動され、ＣＣＤ３６から出力された画像信号がアナログ処理部４０に入力され、ホワイトバランス処理される。特に、ＭＡモードでは、撮影時に被写界の色の偏りがＬＥＤ１８〜２０の発光によって補正されているから、大きなゲイン値を用いることなく、非常に良好なホワイトバランス処理を行うことができる。
【００３８】
ホワイトバランス処理された画像信号は、Ａ／Ｄ変換器４２でデジタル信号である画像データに変換されてからバッファメモリ４６に一旦格納された後、メディア記録シーケンス（ｓｔ８）が実行される。このメディア記録シーケンスでは、画像データがＹＣ信号処理部５０で輝度信号（Ｙ信号）と色差信号（Ｃr,Ｃb 信号）とに変換され、ガンマ補正等の処理が施された後、バッファメモリ４６を経て、圧縮／伸長回路５８によって所定のフォーマットに圧縮されたのち、インターフェイス回路（Ｉ／Ｆ）６０を介してメモリカード６２に記録される。
【００３９】
シャッタボタン１４を全押しする前にシャッタボタン１４の押圧操作を止めると（ｓｔ５）、ステップ１〜４はキャンセルされ、シャッタボタン１４を半押し操作（ｓｔ１）によって新たにステップ２〜４が実行される。
【００４０】
マニュアルでＭＡモードや光源アイコン２９〜３２を選択しない場合には、図８に示すように、デフォルトでオートのＷＢストロボ設定シーケンスが実行される。すなわち、高輝度部のＲ／Ｇ／Ｂ分布の評価を行い、高輝度部の色の偏りが少ない場合には、ＬＥＤ１８〜２０の発光による被写界の色補正は不要であるから（ｓｔ２１）、Ｗ−ＬＥＤ２１のみを発光するように設定する（ｓｔ２２）。
【００４１】
また、アナログ処理部４０のホワイトバランス処理で大幅なゲイン変更を伴う程度に高輝度部の色の偏りが大きい場合には、ＬＥＤ１８〜２０の発光による被写界の色補正が必要であると判断し（ｓｔ２１）、高輝度部の色の補色となるように、ＬＥＤ１８〜２０に供給する各電圧に高低差をつけてＬＥＤ１８〜２０の各発光量比を設定する（ｓｔ２５）。この場合に、光量不足になると判断した場合には（ｓｔ２６）、更にＷ−ＬＥＤ２１も合わせて発光させるように設定する（ｓｔ２７）。
【００４２】
次に、ユーザがＬＥＤ１８〜２１から発光するＬＥＤをマニュアルで選択する場合について、図９に示すフローチャートに従って説明する。まず、撮影を開始する前に、ユーザがマニュアルで発光させるＬＥＤとして、図３に示すサブメニューで例えばＲ−ＬＥＤ１８を選択した場合には（ｓｔ２８）、ユーザの選択したＲ−ＬＥＤ１８が発光されるように設定される（ｓｔ２９）。この場合には、アナログ処理部４０でのホワイトバランス処理が行われないようにＷＢ設定フラグがＯＦＦにされる（ｓｔ３０）。
【００４３】
また、ユーザが発光を希望するＬＥＤを選択していない場合には（ｓｔ２８）、高輝度部の色の偏りによって画像の色が影響されないように、すなわち高輝度部の色の補色になるように、ＬＥＤ１８〜２０に供給する各電圧に高低差をつけてＬＥＤ１８〜２０の各発光量比を設定する（ｓｔ２５）。
【００４４】
次に、図２に示すホワイトバランス調整（ＷＢ）のメニューから、ユーザが光源アイコン２９〜３２によって光源の種類を選択した場合について、図１０に示すフローチャートを参照して説明する。高輝度部での色の偏りが大きくストロボによる色補正の必要があり（ｓｔ２１）、ユーザが光源アイコン２９〜３２のうちいずれか１個を選択している場合には（ｓｔ３１）、ユーザが選択した光源アイコン２９〜３２に対応する光源に応じてＬＥＤ１８〜２０の発光を設定する（ｓｔ３２）。
【００４５】
例えば、光源アイコン２９が選択されている場合、タングステンライトの影響が大きいシーンであるから、色補正を行わない状態では、画像が赤味を帯びる。このため、Ｒ−ＬＥＤ１８は発光させずに、Ｇ−ＬＥＤ１９とＢ−ＬＥＤ２０を発光させる設定を行う。このＧ−ＬＥＤ１９とＢ−ＬＥＤ２０との実際の発光量比率については、一般的なタングステンライトに対する補正データに基づいて決められている。なお、Ｇ−ＬＥＤ１９とＢ−ＬＥＤ２０との発光量比率は、実際に多くのシーンを撮影した実写データを基に決めるようにしてもよい。
【００４６】
なお、ユーザが光源アイコン２９〜３２のいずれも選択していない場合には（ｓｔ３１）、高輝度部の色の補色になるように、ＬＥＤ１８〜２０に供給する各電圧に高低差をつけてＬＥＤ１８〜２０の各発光量比を設定する（ｓｔ２５）。なお、ＬＥＤ１８〜２０に供給する各電圧に高低差をつける代わりに、発光時間に長短をつけてＬＥＤ１８〜２０の各発光量比を制御してもよい。
【００４７】
以上説明した実施形態では、撮影装置としてデジタルカメラを挙げたが、本発明はこれに限定されることなく、例えばカメラ付き携帯電話やカメラ付きＰＤＡ（Personal Digital Assistant）等でもよい。
【図面の簡単な説明】
【００４８】
【図１】本発明の第１実施形態の外観を示す斜視図である。
【図２】デジタルカメラの背面を示す平面図である。
【図３】マニュアルのホワイトバランス調整画面を表示した液晶画面を示す説明図である。
【図４】デジタルカメラの電気的構成を示すブロック図である。
【図５】撮影シーケンスの概略を示すフローチャートである。
【図６】ＭＡモードを含むＡＥシーケンスの概略を示すフローチャートである。
【図７】ＭＡモードを選択する場合のＷＢストロボ設定シーケンスを示すフローチャートである。
【図８】自動でＬＥＤの発光を制御することによりホワイトバランス調整を行うように設定するＷＢストロボ設定シーケンスを示すフローチャートである。
【図９】発光するＬＥＤの色をマニュアルで選択する場合のＷＢストロボ設定シーケンスを示すフローチャートである。
【図１０】光源をマニュアルで特定する場合のＷＢストロボ設定シーケンスを示すフローチャートである。
【符号の説明】
【００４９】
１０  デジタルカメラ
１１  カメラボディ
１２  撮影レンズ
１５  レンズ鏡筒
１７  化粧板
１８〜２１  ＬＥＤ
２９〜３２  光源アイコン
３６  ＣＣＤ
６４  メインＣＰＵ
６８  サブＣＰＵ
７０  ＬＥＤ制御部
【図１】
2006162988.tif 000003
【図２】
2006162988.tif 000004
【図３】
2006162988.tif 000005
【図４】
2006162988.tif 000006
【図５】
2006162988.tif 000007
【図６】
2006162988.tif 000008
【図７】
2006162988.tif 000009
【図８】
2006162988.tif 000010
【図９】
2006162988.tif 000011
【図１０】
2006162988.tif 000012